(57)【特許請求の範囲】
【請求項１】
底部と、この底部の両側縁に立設された側壁部と、両側壁部の先端に設けられた屋外側耳部と屋内側耳部とからなり、前記両側壁部間の距離は底方が小さく、上方に向かうにつれて大きくなされている軒樋において、
前記屋外側耳部は、屋外側側壁部よりも内側に向けられ、前記屋外側耳部の上面の屋外側端縁部に、軒樋の長手方向の全長に渡って凸部が連続して設けられ、この凸部は屋外側耳部の上面に降った雨水が当該凸部を越えて屋外側側壁部に流れることがない程度の高さであり、この凸部で屋外側耳部の上面に降った雨水を軒樋内に流すようになされていることを特徴とする軒樋。
【発明の詳細な説明】
【０００１】
【発明の属する技術分野】
本発明は、軒樋に関する。
【０００２】
【従来の技術】
従来、軒樋継手を使用して軒樋を接続する方法には、主として、軒樋と軒樋継手を接着する方法が用いられている。この方法は、接着剤で軒樋と軒樋継手とを固着するもので、例えば、実開平１−１４８４２５号公報に記載のものが知られている。
【０００３】
実開平１−１４８４２５号公報に記載の方法は、外側本体と内側体とからなり、外側本体の両上縁端に耳保持部と、両側壁内面の幅方向中央上端に位置決め突起とを設け、内側体の両側壁内面の幅方向中央上端に切孔部を設けてなるもので、軒樋の耳部を耳保持部に係止させ、両者を固定しながら、外側本体の軒樋接続部と内側体の軒樋接続部に接着剤を塗布し、外側本体の軒樋接続部と軒樋の端部及び内側体の軒樋接続部と別の軒樋の端部とを接続して、軒樋継手を介して、軒樋同士を接続するものである。この軒樋継手は、左右の軒樋にほぼ均等に接着され、外側本体と内側体で強く挟着され隙間を生じさせず、簡便なものである。
【０００４】
【発明が解決しようとする課題】
ところが、この方法では、軒樋の屋外側側壁部の先端部に設けられた屋外側耳部と側壁部とが続き一体となっているため、軒樋の屋外側耳部の上面に当たった雨水が軒樋内に入らず、雨垂れ現象を起こし、屋外側側壁部に流れ、雨垂れの跡が残り、屋外側から見ると汚れが目立ち、外観が悪いという問題があった。
【０００５】
そこで、本発明の目的は、軒樋の屋外側耳部の上面と軒樋継手の外側本体の両上縁端に耳保持部の上面とからの雨垂れ現象を起こらず、屋外側から見ても汚れが目立ず、外観を損じることがない軒樋を提供するものである。
【０００６】
【課題を解決するための手段】
本発明は上記の目的を達成するためになされたもので、請求項１記載の発明では、底部と、この底部の両側縁に立設された側壁部と、両側壁部の先端に設けられた屋外側耳部と屋内側耳部とからなり、前記両側壁部間の距離は底方が小さく、上方に向かうにつれて大きくなされている軒樋において、前記屋外側耳部は、屋外側側壁部よりも内側に向けられ、前記屋外側耳部の上面の屋外側端縁部に、軒樋の長手方向の全長に渡って凸部が連続して設けられ、この凸部は屋外側耳部の上面に降った雨水が当該凸部を越えて屋外側側壁部に流れることがない程度の高さであり、この凸部で屋外側耳部の上面に降った雨水を軒樋内に流すようになされているものである。
【０００７】
本発明の軒樋の材質は、合成樹脂、金属等適宜の材質でよく、例えば、合成樹脂で、軒樋が硬質塩化ビニル樹脂である場合は、同じ材質を使用すると、接続も簡単にでき、軽量であるので、好ましい。
【０００８】
請求項１の発明において、凸部の形状と位置については、屋外側耳部の上面に設けられた凸部で屋外側耳部の上面に降った雨水を軒樋内に流すようになされていれば、適宜の形状と位置でよく、例えば、形状については、角形、丸形の小片や山形にすると、小片や山形で雨水の側壁方への流れを防止することができるので、好ましい。
【０００９】
本発明の軒樋の軒樋の底部と、この底部の両側縁に立設された側壁部と、凸部とは、押出成型法で一体に押出すと、美観の点で好ましい。
【００１０】
（作用）請求項１記載の軒樋は、屋外側耳部の上面の屋外側端縁部に、軒樋の長手方向の全長に渡って凸部が連続して設けられているから、この凸部で屋外側耳部の上面に降った雨水を外側部方への流れを止め、軒樋内に流すことによって、雨水の側壁方への雨垂れ現象を防止することができる。
【００１１】
【発明の実施の形態】
以下，本発明の一実施例を図１及び図２に基づいて詳述する。
図１は軒樋の斜視説明図、図２は、図１の軒樋が軒樋継手の屋外側の両端部に接続された状態を示す斜視図である。
【００１２】
図１において，Ｎは軒樋であり、この軒樋Ｎは合成樹脂（硬質塩化ビニール樹脂）製であり、ほぼＵ字形になされ、底部５２と、この底部５２の両側縁に立設された屋外側側壁部５３と屋内側側壁部５４と、屋外側側壁部５３の先端に設けられ、内側に向けられた屋外側耳部５５と、屋内側側壁部５４の先端に設けられ、内側に向けられた屋内側耳部５６とからなっている。両側壁部５３、５４間の距離は底方が小さく、上方に向かうにつれて大きくなされている。
【００１３】
屋外側耳部５５の上面の屋外側端縁部には、軒樋の長手方向の全長に渡ってほぼ垂直に上方に向けて凸部５７が連続して設けられている。この凸部５７は、屋外側耳部５５の上面に降った雨水が凸部５７を越えて屋外側側壁部５３に流れることがない程度の高さになされている。従って、屋外側耳部５３の上面に降った雨水は、軒樋Ｎに流れるようになされている。
【００１４】
軒樋Ｎの両端部には、軒樋継手Ｄが接続することができる軒樋継手接続部５１、５１が設けられている。軒樋継手Ｄは、隣り合った軒樋Ｎの軒樋継手接続部５１、５１を外側から覆うようになされ、軒樋継手Ｄの屋外側耳部と屋内側耳部とは、軒樋Ｎの屋外側耳部５５と屋内側耳部５６を差し込むことができるようになされている。尚、軒樋継手Ｄの各部についての図示は省略する。
【００１５】
次に，この軒樋Ｎの取付方法を説明しながら、作用を説明する。
先ず、図２に示すように、隣り合う２つの軒樋Ｎを、互いの端面がほぼ接するようにして、家屋の軒先先端部に取り付ける。次に、軒樋継手Ｄの一方の軒樋接続部の内周面に帯状に接着剤を屋外側側壁部の上端部から底部を通って屋内側側壁部の上端部まで塗布する。次に、同様にして、軒樋継手Ｄの他方の軒樋接続部の内周面に接着剤を塗布する。
【００１６】
次に、隣り合う２つの軒樋Ｎの繋ぎ目が軒樋継手Ｄの軒樋方向のほぼ中央部に来るようにして、隣り合う２つの軒樋Ｎに軒樋継手Ｄを嵌める。次に、軒樋継手Ｄの軒樋接続部の内周面にそれぞれの軒樋Ｎの端部の外周面を当接させ、軒樋接続部の内周面に塗布された接着剤で、それぞれの軒樋Ｎの端部と軒樋継手Ｄとを接着する。
【００１７】
このようにすると、屋外側耳部５５の上面の屋外側端縁部に、軒樋の長手方向の全長に渡って凸部５７が連続して設けられているから、この凸部５７で屋外側耳部５５の上面に降った雨水を外側部方への流れを止め、軒樋Ｎ内に流すことによって、雨水の側壁方への雨垂れ現象を防止することができる。
【００１８】
以上、本発明実施例を図面に基づいて説明してきたが、具体的な構成はこの実施例の限られるものではなく本発明の要旨を逸脱しない範囲の設計変更等があっても本発明に含まれる。
【００１９】
【発明の効果】
以上説明してきたように、請求項１記載の軒樋は、屋外側耳部の上面の屋外側端縁部に、軒樋の長手方向の全長に渡って凸部が連続して設けられているから、この凸部で屋外側耳部の上面に降った雨水を外側部方への流れを止め、軒樋内に流すことによって、雨水の側壁方への雨垂れ現象を防止することができる。
【図面の簡単な説明】
【図１】本発明の軒樋の一実施例を示す斜視説明図である。
【図２】図１の軒樋が軒樋継手の屋外側の両端部に接続された状態を示す斜視図である。
【符号の説明】
Ｎ  軒樋
５１  軒樋継手接続部
５２  底部
５３  屋外側側壁部
５４  屋内側側壁部
５５  屋外側耳部
５６  屋内側耳部
５７  凸部
Ｄ  軒樋継手
【図１】
0004439616.tif 000002
【図２】
0004439616.tif 000003